(57)【要約】【課題】消火手段に消火剤を供給する消火剤供給体を設置することによる収納効率の低下を極力抑制することができる自動倉庫設備を提供すること。【解決手段】物品保管棚２と物品保管棚よりも棚左右方向で外方に突出する突出部分Ｋｔを有する形態で物品保管棚の前面側に設けられた移動空間Ｋを移動自在で、かつ、物品収納部１７に対して物品を移載自在なスタッカークレーン３と、火災が発生すると消火剤を散布して消火する消火手段とが備えられ、消火剤を消火手段に供給する消火剤供給体２４を設置する消火剤保管箇所Ｈが、移動空間の突出部分に対向しかつ棚左右方向で物品保管棚に隣接する箇所に配置されている自動倉庫設備。【選択図】図３
2011032016.tif 000002
【特許請求の範囲】
【請求項１】
物品を収納する物品収納部が上下左右に複数並べて備えられた物品保管棚と、
前記物品保管棚よりも棚左右方向で外方に突出する突出部分を有する形態で前記物品保管棚の前面側に設けられた移動空間を移動自在で、かつ、前記物品収納部に対して物品を移載自在なスタッカークレーンと、
火災が発生すると消火剤を散布して消火する消火手段とが備えられた自動倉庫設備であって、
前記消火剤を前記消火手段に供給する消火剤供給体を設置する消火剤保管箇所が、前記移動空間の前記突出部分に対向しかつ棚左右方向で前記物品保管棚に隣接する箇所に配置されている自動倉庫設備。
【請求項２】
前記消火剤保管箇所には、上下方向に間隔を隔てて設置される複数の架台が備えられている請求項１記載の自動倉庫設備。
【請求項３】
前記消火剤保管箇所が、棚左右方向で前記物品保管棚側に拡張する拡張部分を備えて構成され、
前記物品保管棚の棚左右方向で最外方に位置する物品収納部が、前記拡張部分と上下方向視で重なる位置に配設されている請求項２記載の自動倉庫設備。
【請求項４】
倉庫空間と外部空間とを棚左右方向で仕切る外壁が、棚前後方向に沿う状態で前記突出部分よりもさらに棚左右方向で棚外方側に設けられ、
前記複数の架台のそれぞれは、棚左右方向における一方側の端部が、前記物品保管棚の棚左右方向の端部に位置している棚構成用支柱に支持され、かつ、棚左右方向における他方側の端部が、前記外壁が備える外壁構成用部材に支持されている請求項２又は３記載の自動倉庫設備。
【請求項５】
前記棚構成用支柱には、物品支持用の物品載置部材が、上下に間隔を隔てて複数設けられ、
前記複数の架台のそれぞれが、前記物品載置部材が設けられている高さとは異なる高さにて、前記棚構成用支柱に接続されている請求項４記載の自動倉庫設備。
【請求項６】
前記物品収納部が、複数の物品を棚前後方向に並ぶ状態で収納自在に構成され、
前記消火剤保管箇所が、前記物品保管棚の棚前後方向の全長に亘って配置されている請求項１〜５の何れか１項記載の自動倉庫設備。
【請求項７】
前記消火手段が、前記消火剤としての二酸化炭素をガス状にて散布するように構成され、
前記消火剤供給体が、前記二酸化炭素が封入された炭酸ガスボンベを複数本整列したボンベ群を備えて構成され、
前記ボンベ群の荷重を支持する棒状部材が、前記ボンベ群における前記複数本の炭酸ガスボンベの並び方向に沿って前記消火剤保管箇所において前記ボンベ群の下方に配設されている請求項１〜６のいずれか１項記載の自動倉庫設備。
【請求項８】
前記物品保管棚が、互いに背面を対向近接させた状態で一対設けられ、
前記スタッカークレーンが、前記一対の物品保管棚のそれぞれについて設けられ、
前記一対の物品保管棚のそれぞれについての前記消火剤保管箇所が、棚前後方向で互いに連接している請求項１〜７の何れか１項記載の自動倉庫設備。
【発明の詳細な説明】
【技術分野】
【０００１】
本発明は、物品を収納する物品収納部が上下左右に複数並べて備えられた物品保管棚と、前記物品保管棚よりも棚左右方向で外方に突出する突出部分を有する形態で前記物品保管棚の前面側に設けられた移動空間を移動自在で、かつ、前記物品収納部に対して物品を移載自在なスタッカークレーンと、火災が発生すると消火剤を散布して消火する消火手段とが備えられた自動倉庫設備に関する。
【背景技術】
【０００２】
スタッカークレーンを利用した自動倉庫設備として、可燃性固体や引火性液体等の消防法上の危険物を保管及び取り扱うものがある（例えば、特許文献１参照。）。
【０００３】
この種の自動倉庫設備は消防法上の危険物設備のうち屋内貯蔵所に該当するため、法令上、火災が発生すると消火剤を散布して消火する消火手段を設けることが義務付けられるとともに、床面積や軒高さ等の建物構造について法令上の制限が課されている。例えば、消防法で定める危険物のうち第２類危険物（可燃性固体）及び第４類危険物（引火性液体）を貯蔵又は取り扱う屋内貯蔵所においては、建物の構造制限として、床面積が1,000[ｍ2]以下、かつ、軒高さが20[ｍ]未満の独立専用平屋棟としなければならない。
【０００４】
このように自動倉庫設備にて危険物を保管及び取り扱う場合には、自動倉庫設備における建物の床面積及び軒高さが制限されるため、建物内に設置される物品保管棚により多くの物品を収納するために、物品保管棚が占める床面積以外の床面積、例えば、設備の管理・制御をする制御装置が設置される操作室の床面積や消火剤を供給する消火剤供給体を設置する消火剤保管箇所の床面積といったように、付帯設備が占める床面積をできるだけ小さくすることで物品保管棚が占める床面積をできるだけ大きくすることが行われる。
【０００５】
危険物を保管及び取り扱う自動倉庫設備に設けられる消火手段としては、例えば、消火剤としての二酸化炭素をガス状にて散布することで酸素濃度を下げて窒息消火させる二酸化炭素消火設備や、消火剤としての約３％合成界面活性剤を散布することで、水の500倍の泡を発生させ、燃焼面を覆い空気の供給を遮断して窒息消火させる高発泡消火設備などがある。そして、自動倉庫設備に消火手段を設ける場合には、消火剤又はその原材料を貯留して消火剤を消火手段に供給する消火剤供給体が設置される。そして、従来では、この消火剤供給体を設置するために、例えば、自動倉庫設備の物品保管棚の背面側にて隣接する箇所等に消火剤保管箇所として専用に確保し、この消火剤保管箇所に消火剤供給体を設置していた。
【先行技術文献】
【特許文献】
【０００６】
【特許文献１】特開平６−１１５６１１号公報
【発明の概要】
【発明が解決しようとする課題】
【０００７】
自動倉庫設備にて危険物を保管及び取り扱う場合のように、自動倉庫設備の床面積が制限される場合には、従来では、消火剤供給体を設置する消火剤保管箇所を専用に確保していたため、自動倉庫設備の床面積のうち消火剤保管箇所が占める床面積を差し引いた残りの床面積の範囲内で物品保管棚やスタッカークレーンや設備の操作室等を配置しなければならない。そのため、物品保管棚を設置するための床面積を十分確保できず、物品保管棚の容量が抑制される結果、自動倉庫設備の物品収納数を多くできないという問題があった。
【０００８】
また、自動倉庫設備の床面積が制限されない場合であっても、消火手段を備えるに当って、この消火手段に消火剤を供給する消火剤供給体を設置する消火剤保管箇所を専用に確保すると、物品保管棚の保管容量の割に自動倉庫設備の床面積が大きくなってしまい収納効率が悪くなるという問題があった。
【０００９】
本発明は上記実情に鑑みて為されたものであって、その目的は、消火手段に消火剤を供給する消火剤供給体を設置することによる収納効率の低下を極力抑制することができる自動倉庫設備を提供する点にある。
【課題を解決するための手段】
【００１０】
この目的を達成するために、本発明に係る自動倉庫設備の第１特徴構成は、物品を収納する物品収納部が上下左右に複数並べて備えられた物品保管棚と、前記物品保管棚よりも棚左右方向で外方に突出する突出部分を有する形態で前記物品保管棚の前面側に設けられた移動空間を移動自在で、かつ、前記物品収納部に対して物品を移載自在なスタッカークレーンと、火災が発生すると消火剤を散布して消火する消火手段とが備えられた自動倉庫設備において、
前記消火剤を前記消火手段に供給する消火剤供給体を設置する消火剤保管箇所が、前記移動空間の前記突出部分に対向しかつ棚左右方向で前記物品保管棚に隣接する箇所に配置されている点にある。
【００１１】
本特徴構成によれば、スタッカークレーンの移動空間が物品保管棚の前面側に設けられている。例えば、スタッカークレーンが、フォーク装置等の物品移載装置を搭載した昇降台の棚左右方向での両脇に昇降台を昇降案内する一対の昇降マストが並ぶ状態で備えられているものであると、スタッカークレーンの棚左右方向（走行方向）での全長が、物品収納部の棚左右方向での長さよりも長くなることから、スタッカークレーンの移動空間は、一対の物品保管棚よりも棚左右方向で外方に突出する突出部分を有することになる。したがって、移動空間の突出部分に対向しかつ棚左右方向で物品保管棚に隣接する箇所には突出部分の突出長さ分の空き領域が形成される。そこで、消火剤供給体を設置する消火剤保管箇所を、この空き領域に配置することで、スタッカークレーンを備えた自動倉庫設備であれば形成されることになる空き領域を利用して消火剤供給体を設置することができる。そのため、消火剤供給体を設置する消火剤保管箇所を専用に確保せずに済む、又は、確保すべき領域が小さくて済む。
【００１２】
したがって、自動倉庫設備にて危険物を保管及び取り扱う場合のように、自動倉庫設備の床面積が制限される場合に、消火手段を備えるに当って、消火剤保管箇所を専用に確保せずに済む、又は、確保すべき領域が小さくて済むので、物品保管棚を設置するための床面積を極力大きく確保して物品保管棚の容量をできるだけ大きくすることができる。こうすることで、消火剤保管箇所を設けても設備全体の床面積に対する物品保管棚の占める床面積の割合を極力維持できるので収納効率の低下を極力抑制することができる。
【００１３】
また、自動倉庫設備の床面積が制限されない場合であっても、消火手段を備えるに当って、消火剤保管箇所を専用に確保せずに済む、又は、確保すべき領域が小さくて済むので、物品保管棚の保管容量の割に自動倉庫設備の床面積が大きくならないようにすることができる。こうすることで、消火剤保管箇所を設けても設備全体の床面積に対する物品保管棚の占める床面積の割合を極力維持できるので収納効率の低下を極力抑制することができる。
【００１４】
このように、消火手段に消火剤を供給する消火剤供給体を設置することによる収納効率の低下を極力抑制することができる自動倉庫設備を得るに至った。
【００１５】
本発明に係る自動倉庫設備の第２特徴構成は、前記消火剤保管箇所には、上下方向に間隔を隔てて設置される複数の架台が備えられている点にある。
【００１６】
本特徴構成によれば、複数の架台のそれぞれに対して消火剤供給体を設置することができるので、移動空間の突出部分に対向しかつ棚左右方向で物品保管棚に隣接する箇所が占める床面積を使って設置できる消火剤供給体の分量が、架台の数だけ増えることになる。したがって、消火剤保管箇所の床面積の拡大を抑制して設備全体の床面積に対する物品保管棚の占める床面積の割合を極力維持しながらより多くの消火剤供給体を設置できる。
【００１７】
本発明に係る自動倉庫設備の第３特徴構成は、前記消火剤保管箇所が、棚左右方向で前記物品保管棚側に拡張する拡張部分を備えて構成され、前記物品保管棚の棚左右方向で最外方に位置する物品収納部が、前記拡張部分と上下方向視で重なる位置に配設されている点にある。
【００１８】
本特徴構成によれば、消火剤保管箇所は棚左右方向で物品保管棚側に拡張する拡張部分を備えているので、消火剤保管箇所が占める床面積が拡大する。そのため、消火剤保管箇所が備える複数の架台のそれぞれにて形成される消火剤供給体設置用の領域面積が大きくなり、一つの架台に対して設置できる消火剤供給体の分量が多くなる又は大型化できる。したがって、所定量の消火剤を保管する場合に必要となる架台の数が少なくて済み、消火剤供給体を複数の架台のそれぞれに分散して設置する場合の設置作業や設置後のメンテナンス作業において作業者が上下方向に移動することが少なくて済むので作業性が良いものとなる。
【００１９】
一方、棚左右方向で前記物品保管棚側に拡張する拡張部分を備えることで、物品保管棚における拡張部分が位置する領域には、収納部が備えられないことになるので、物品保管設備の収納効率を悪化させるが、物品保管棚の棚左右方向で最外方に位置する物品収納部が、拡張部分と上下方向視で重なる位置、例えば、拡張部分よりも上方の位置に配設されるので、拡張部分が占有する床面積を有効に使って、設備全体の床面積に対する物品保管棚の占める床面積の割合を維持したまま、より多くの収納部が配設されることになる。したがって、消火剤保管箇所を棚左右方向で物品保管棚側に拡張させる場合の収納効率の低下を極力抑制することができる。
【００２０】
このように、本特徴構成によれば、消火剤保管箇所に備えられる架台の数を少なくして消火剤供給体の設置作業や設置後のメンテナンス作業の作業性を良いものとすることができるとともに、消火剤保管箇所を棚左右方向で物品保管棚側に拡張させる場合の収納効率の低下を極力抑制することができる。
【００２１】
本発明に係る自動倉庫設備の第４特徴構成は、倉庫空間と外部空間とを棚左右方向で仕切る外壁が、棚前後方向に沿う状態で前記突出部分よりもさらに棚左右方向で棚外方側に設けられ、前記複数の架台のそれぞれは、棚左右方向における一方側の端部が、前記物品保管棚の棚左右方向の端部に位置している棚構成用支柱に支持され、かつ、棚左右方向における他方側の端部が、前記外壁が備える外壁構成用部材に支持されている点にある。
【００２２】
本特徴構成によれば、架台の棚左右方向における一方側の端部が、物品保管棚の棚左右方向の端部に位置している棚構成用支柱に支持され、棚左右方向における他方側の端部が、外壁が備える外壁構成用部材に支持されているので、架台を支持するための支柱等を殊更に設けることなく自動倉庫設備であれば備えられている棚構成用支柱及び外壁構成用部材を用いて、上下に間隔を隔てて複数の架台を備えることができる。そのため、簡素な構成により複数の架台を設けることができる。
【００２３】
また、棚構成用支柱及び外壁構成用部材にて架台を支持するので、架台を支持するための支柱等を殊更に設ける場合に比べて、物品保管棚の棚左右方向の端部と棚前後方向に沿う外壁との間の領域において棚左右方向でより長い範囲に架台を設けることができる。これにより、物品保管棚の棚左右方向の端部と外壁との間の領域における床面積を維持したままで、複数の架台のそれぞれにて形成される消火剤供給体設置用の領域面積を大きくすることができる。したがって、消火剤保管箇所を設けても設備全体の床面積に対する物品保管棚の占める床面積の割合を維持したまま消火剤保管箇所における消火剤の保管容量を大きくできる。
【００２４】
このように、本特徴構成によれば、収納効率を低下させずに保管容量の大きな消火剤保管箇所を簡素な構成により設けることができる。
【００２５】
本発明に係る自動倉庫設備の第５特徴構成は、前記棚構成用支柱には、物品支持用の物品載置部材が、上下に間隔を隔てて複数設けられ、前記複数の架台のそれぞれが、前記物品載置部材が設けられている高さとは異なる高さにて、前記棚構成用支柱に接続されている点にある。
【００２６】
本特徴構成によれば、棚構成用支柱において物品載置部材が設けられている部分を避けて、複数の架台のそれぞれが棚構成用支柱に接続されるので、複数の架台及び複数の物品載置部材は、棚構成用支柱に上下方向に分散して接続される。したがって、複数の架台を棚構成用支柱に接続するに当って、特定の箇所に荷重が集中することを回避できるので、棚構成用支柱として特別に強度の高いものを用いることなく、物品保管棚を構成できる。
【００２７】
本発明に係る自動倉庫設備の第６特徴構成は、前記物品収納部が、複数の物品を棚前後方向に並ぶ状態で収納自在に構成され、前記消火剤保管箇所が、前記物品保管棚の棚前後方向の全長に亘って配置されている点にある。
【００２８】
本特徴構成によれば、物品保管棚の棚前後方向の長さは物品収納部の奥行き方向の長さであり、物品収納部の奥行き方向の長さは複数の物品を棚前後方向に並ぶ状態で収納できるだけの長さとなっている。したがって、物品保管棚の棚前後方向の全長に亘って消火剤保管箇所を設置することで、物品保管棚の棚前後方向に関して、複数の物品を並べた長さに亘って消火剤保管箇所が配置されることになるので、消火剤保管箇所は広いものとなり、消火剤供給体として多数又は大型のものを設置してより多くの消火剤を保管することができる。
【００２９】
さらに、消火剤保管箇所に、上下方向に間隔を隔てて設置される複数の架台が備えられる場合には、各架台において、物品保管棚の棚前後方向に関して、複数の物品を並べた長さに亘って消火剤供給体を設置できるので、各架台に設置される消火剤供給体として多数又は大型のものを設置できる。これにより、所定量の消火剤を保管する場合に必要となる架台の数が少なくて済み、消火剤供給体を複数の架台のそれぞれに分散して設置する場合の設置作業や設置後のメンテナンス作業において作業者が上下方向に移動することが少なくて済むので作業性が良いものとなる。
【００３０】
本発明に係る自動倉庫設備の第７特徴構成は、前記消火手段が、前記消火剤としての二酸化炭素をガス状にて散布するように構成され、前記消火剤供給体が、前記二酸化炭素が封入された炭酸ガスボンベを複数本整列したボンベ群を備えて構成され、前記ボンベ群の荷重を支持する棒状部材が、前記ボンベ群における前記複数本の炭酸ガスボンベの並び方向に沿って前記消火剤保管箇所において前記ボンベ群の下方に配設されている点にある。
【００３１】
本特徴構成によれば、消火剤としての二酸化炭素は炭酸ガスボンベに封入されて、この炭酸ガスボンベが複数本整列されて炭酸ガスボンベ群を構成する。そして、自動倉庫設備の建物内において火災が発生した場合に、消火剤供給体が炭酸ガスボンベ群から消火剤としての二酸化炭素を消火手段に供給することで、消火手段にて二酸化炭素をガス状に散布して酸素濃度を下げることにより消火することができる。
【００３２】
ボンベ群を構成する複数の炭酸ガスボンベのそれぞれは、棒状部材にて支持されるが、この棒状部材は、これらの炭酸ガスボンベの並び方向に沿って消火剤保管箇所においてボンベ群の下方に配設されているので、各炭酸ガスボンベの荷重を的確に支持することができる。
【００３３】
本発明に係る自動倉庫設備の第８特徴構成は、前記物品保管棚が、互いに背面を対向近接させた状態で一対設けられ、前記スタッカークレーンが、前記一対の物品保管棚のそれぞれについて設けられ、前記一対の物品保管棚のそれぞれについての前記消火剤保管箇所が、棚前後方向で互いに連接している点にある。
【００３４】
本特徴構成によれば、一対の物品保管棚を互いに背面を対向近接させた状態で設けることで、一対の物品保管棚のそれぞれについて設けられたスタッカークレーンについての消火剤保管箇所が棚前後方向で隣接することになる。そして、これらの消火剤保管箇所を棚前後方向で互いに連接させることで、消火剤保管箇所として大きな保管箇所を確保できる。したがって、一対の消火剤保管箇所に対してそれぞれ独立して消火剤供給体を設置するのではなく、互いに連接させた大きな消火剤保管箇所に対して消火剤供給体を設置できるので、消火剤供給体をまとめて多量に設置できる又は大型のものを設置できる。
【図面の簡単な説明】
【００３５】
【図１】自動倉庫設備の縦断側面図
【図２】図１のＡ−Ａ矢視横断平面図
【図３】図１のＢ−Ｂ矢視横断平面図
【図４】消火剤保管箇所の拡大側面図
【図５】架台の縦断側面図
【図６】架台の支持グレーチングを設置する様子を示す平面図
【図７】架台のエキスパンドメタルを設置する様子を示す平面図
【図８】架台に設置されたボンベ群を示す平面図
【発明を実施するための形態】
【００３６】
本発明に係る自動倉庫設備の実施形態を図面に基づいて説明する。本実施形態の自動倉庫設備Ｓは、第２種危険物（可燃性固体）や第４種危険物（引火性液体）が入った18リットル缶（いわゆる一斗缶）やドラム缶やペール缶の複数個を物流パレットに載置した状態のものを物品Ｗとして保管及び取り扱う設備である。
【００３７】
図１〜図３に示すように、自動倉庫設備Ｓは、建物１、物品保管棚２、スタッカークレーン３、入出庫設備（図示せず）、消火設備４、換気設備（図示せず）などを備えている。
【００３８】
〔建物〕
建物１は、コンクリート床５からなる基礎上に外部空間と倉庫内空間とを仕切る平面視矩形状の外壁６と、この外壁６にて囲まれる倉庫内空間の上部を覆う平屋根７とを設けた独立専用平屋棟形式に構成されている。
【００３９】
外壁６は、倉庫内空間に対する物品の搬出入が行われる搬出入口８が配置される搬出入側外壁６ａと、この搬出入側外壁６ａに対向する位置に配置される倉庫奥側に位置する奥側外壁６ｂと、建物１の長手方向に沿って配置され搬出入側外壁６ａ及び奥側外壁６ｂに接続される一対の側部外壁６ｃとを備えている。
【００４０】
コンクリート床５には、図４に示すように、外部空間から倉庫内空間への水の浸入及び倉庫内空間から外部空間への油等の流出を防ぐための防油堤９が、外壁６の下部外側に設けられている。倉庫内空間で漏れた油等を集油桝に集める集油溝１０が、倉庫内空間の適宜箇所に設けられている。また、搬出入口８には上下方向に開閉する巻き上げ式のシャッター１１が設けられている。
【００４１】
〔物品保管棚〕
図２及び図３に示すように、物品Ｗを保管する物品保管棚２として、第１物品保管棚２ａ〜第４棚２ｄの４つの棚が棚前後方向に並ぶ状態で４つ設けられている。図２及び図３に示すように、４つの物品保管棚２のうち、第２物品保管棚２ｂと第３物品保管棚２ｃとは、互いに背面を対向近接させた状態で設けられている。なお、図２は、図１におけるＡ−Ａ矢視（建物１の天井高さ）での横断平面図であり、図３は、図１におけるＢ−Ｂ矢視（後述する第１架台と第２架台の中間高さ）での横断平面図である。
【００４２】
各物品保管棚２は、図２〜図６に示すように、棚前後方向に間隔を空けて並ぶ一対の棚構成用支柱１２をさらに棚前後方向に並べて配置し、棚前後方向に並ぶこれら４本の棚構成用支柱１２を、棚横幅方向に間隔を空けて複数組並べて配置し、棚背面側の棚構成用支柱１２の背面において上下複数箇所に取り付けられたガゼット板１３に対して接続される水平連結材１４にて隣接する棚構成用支柱１２同士を上下複数箇所で連結して構成されている。また、棚背面側の前記ガゼット板１３同士は垂直ブレース材１５によっても連結されており、物品保管棚２の強度が補強されている。
【００４３】
前後一対の棚構成用支柱１２には物品支持用の物品載置部材としての腕木１６が、棚左右方向に張り出す状態で上下に間隔を隔てて複数設けられている。そして隣接する棚構成用支柱１２の対抗する一対の腕木１６にて物品Ｗを支持するようになっている。前後一対の棚構成用支柱１２を棚前後方向に並べて配置することにより一対の腕木１６が、棚前後方向に並ぶことになる。このようにして、一対の腕木１６が棚前後方向に並ぶ構造をとることにより一つの物品収納部１７が形成されており、一つの物品収納部１７は、２つの物品Ｗを棚前後方向に並ぶ状態で収納できるようになっている。そして、物品保管棚２には、物品収納部１７が上下左右に複数並べて備えられることになる。なお、各物品収納部１７は、スタッカークレーン３の移動空間Ｋ側に物品Ｗが落下することを防止するストッパー（図示せず。）が設けられている。
【００４４】
前記奥側外壁６ｂは、棚前後方向に沿う状態で、スタッカークレーン３の移動空間Ｋの突出部分Ｋｔよりもさらに棚左右方向で物品保管棚２よりも棚外方側に位置している。そして、奥側外壁６ｂと、物品保管棚２の棚左右方向で奥側での最外方に位置する奥側最外方物品収納部１７ｅ（奥側外壁６ｂに棚左右方向で最も近接する物品収納部１７）とが、棚固定連結材１８にて上下複数箇所で連結されている。
【００４５】
棚固定連結材１８は、図２及び図３に示すように、棚前後方向及び棚左右方向の何れに対しても傾斜する向きに水平方向に沿って配設されている。棚固定連結材１８の物品保管棚２の端部は物品保管棚２の棚構成用支柱１２に連結されているが、腕木１６が取り付けられている高さと異なる高さにて連結されている。また、棚固定連結材１８の奥側外壁６ｂ側の端部は、奥側外壁６ｂが備える外壁構成用部材としてのラーメン材に設けられた水平方向に沿った連結用横部材に連結されている。なお、搬出入側外壁６ａと、物品保管棚２の棚左右方向で搬出入側での最外方に位置する搬出入側最外方物品収納部１７ｓ（搬出入側外壁６ａに棚左右方向で最も近接する物品収納部１７）とが、同様に、搬出入側外壁６ａの棚固定連結材１８にて上下複数箇所で連結されている。
【００４６】
第２物品保管棚２ｂと第３物品保管棚２ｃの奥側最外方物品収納部１７ｅの下方空間には、後述する消火剤保管箇所Ｈの拡張部分Ｈｅｘが位置している。つまり、第２物品保管棚２ｂと第３物品保管棚２ｃの奥側最外方物品収納部１７ｅは、棚左右方向で奥側最外方物品収納部１７ｅが位置する奥側最外方位置では、物品保管棚２の高さ方向で上方側の部分にだけ物品収納部１７が設けられており、物品保管棚２の高さ方向で下方側の部分には、物品収納部１７を設けずに、消火剤保管箇所Ｈの拡張部分Ｈｅｘを配置している。このように、第２物品保管棚２ｂと第３物品保管棚２ｃでは、奥側最外方物品収納部１７ｅが消火剤保管箇所Ｈの拡張部分Ｈｅｘと上下方向視で重なる位置に配設されている。
【００４７】
第２物品保管棚２ｂや第３物品保管棚２ｃのコンクリート床５に立設された棚構成用端部支柱１２のうち、棚左右方向で奥側外壁６ｂ側の端部に位置している棚構成用端部支柱１２ｅよりも棚左右方向で棚外方側に、前記奥側最外方物品収納部１７ｅが配設されている。つまり、奥側最外方物品収納部１７ｅは、第２物品保管棚２ｂや第３物品保管棚２ｃの棚上下方向で上側部分において、棚構成用端部支柱１２ｅよりも棚左右方向で棚外方側に突出する状態で配設された棚左右方向で片側（棚内方側）だけがコンクリート床５に立設された棚構成用端部支柱１２に直接支持された吊り下げ形式の収納部となっている。
【００４８】
〔スタッカークレーン〕
スタッカークレーン３は、物品保管棚２よりも棚左右方向で外方に突出する突出部分Ｋｔを有する形態で物品保管棚２の前面側に設けられた移動空間Ｋを移動自在で、かつ、物品収納部１７に対して物品Ｗを移載自在に構成されている。図１及び図３に示すように、棚前面側の移動空間Ｋのコンクリート床５上に敷設された軌道１８に沿って走行自在な走行台車１９と、この走行台車１９の走行方向（棚左右方向）の前後に間隔を空けて立設された前後一対の昇降マスト２０と、この前後一対の昇降マスト２０の間に形成される昇降経路に沿って昇降自在に設けられかつ物品Ｗを移載するためのフォーク装置など移載装置を装備した昇降台２１とを備えて構成されている。
【００４９】
スタッカークレーン３が、搬出入側最外方物品収納部１７ｓや奥側最外方物品収納部１７ｅに対して物品Ｗを移載する場合、昇降台２０が棚横幅方向で移載対象の収納部１７の正面に位置するので、スタッカークレーン３の昇降台２０よりも走行方向（棚左右方向）の前後側に延出する部分が移動空間Ｋの棚横幅方向の端部を形成することになる。そのため、スタッカークレーン３の移動空間Ｋは、物品保管棚２よりも棚左右方向で外方に突出する突出部分Ｋｔを有することになる。
【００５０】
本実施形態における自動倉庫設備では、第１物品保管棚２ａ及び第２物品保管棚２ｂの間に形成される第１移動空間Ｋａを移動自在な第１スタッカークレーン３ａと、第３物品保管棚２ｃ及び第４物品保管棚２ｄの間に形成される第２移動空間Ｋｂを移動自在な第２スタッカークレーン３ｂとの２基のスタッカークレーン３が設けられている。すなわち、互いに背面を対向近接させた状態で設けられている第２物品保管棚２ｂと第３物品保管棚２ｃのそれぞれについてスタッカークレーン３が設けられている。
【００５１】
なお、第１スタッカークレーン３ａと第２スタッカークレーン３ｂは、走行台車１９の走行作動、昇降台２１の昇降作動、移載装置の移載作動に必要な電力の給電や、各種作動の制御に必要な制御信号の伝送は、コンクリート床５上に軌道１８に沿って設けられたケーブベアを用いた給電線及び信号線を用いている。
【００５２】
図示は省略しているが、スタッカークレーン３により物品保管棚２から入出庫される物品Ｗを外部との間で搬出入するための搬出入用搬送設備（例えば、搬出入コンベヤや自走台車等で構成される）が、物品保管棚２の棚左右方向で搬出入側の端部に隣接する箇所に設けられている。
【００５３】
スタッカークレーン３や搬出入用搬送設備の作動を制御する図外の制御装置が、搬出入側外壁６ａと、搬出入側最外方物品収納部１７ｓとの間に設けられた非防爆場所としての管理室２２に設置されている。この管理室２２に設置されている制御装置は、外部と搬出入用搬送設備との間での物品Ｗの搬送、及び、搬出入用搬送設備と物品収納部１７との間での物品Ｗの搬送を処理するべく、スタッカークレーン３の走行作動、昇降作動及び移載作動、並びに、搬出入用搬送設備の搬送作動を制御する。
【００５４】
このように、本実施形態の自動倉庫設備Ｓでは、電気設備のうち、制御回路や電力回路類は基本的に非防爆場所としての管理室２２に設置されている。また、スタッカークレーン３や搬出入用搬送設備等の作動機器に設置されているセンサーやモータ等の電気機器は必要に応じて防爆構造のものを用いている。
【００５５】
〔消火設備〕
自動倉庫設備Ｓには、火災が発生すると自動的に消火作動する消火設備４が設けられている。消火設備４は、火災が発生すると消火剤としての二酸化炭素ガスを散布して消火する消火手段としてのガス散布ノズル２３と、ガス散布ノズル２３に対して二酸化炭素ガスを供給する消火剤供給体としての複数の炭酸ガスボンベ２４と、複数の炭酸ガスボンベ２４から供給される二酸化炭素ガスを、建物１の倉庫内空間の天井側で移動経路Ｋに沿って配置された複数のガス散布ノズル２３まで通流させる配管群２５とを備えて構成されている。
【００５６】
〔消火剤保管箇所〕
消火剤である二酸化炭素ガスは、自動倉庫設備Ｓにて保管される危険物の種類や量に応じて定められる規定量以上の量を保管しておく必要があるが、本実施形態では、圧縮されて液化した二酸化炭素ガスが約200本の炭酸ガスボンベ２４に封入された状態で保管されている。これらの多数の炭酸ガスボンベ２４を設置する消火剤保管箇所Ｈが、スタッカークレーン３の移動空間Ｋの突出部分Ｋｔに対向しかつ棚左右方向で物品保管棚２に隣接する箇所に配置されている。
【００５７】
図３及び図６〜図８に示すように、本実施形態の自動倉庫設備Ｓでは、第１スタッカークレーン３ａの移動空間Ｋａの突出部分Ｋｔに対向しかつ棚左右方向で第２物品保管棚２ｂに隣接する消火剤保管箇所Ｈである第１消火剤保管箇所Ｈ１、及び、第２スタッカークレーン３ｂの移動空間Ｋｂの突出部分Ｋｔに対向しかつ棚左右方向で第３物品保管棚２ｃに隣接する消火剤保管箇所Ｈである第２消火剤保管箇所Ｈ２が、棚前後方向で互いに連接して平面視で大きな一つの領域からなる消火剤保管箇所Ｈを形成している。
【００５８】
消火剤保管箇所Ｈは、物品保管棚２の棚前後方向の全長に亘って配置されている。すなわち、第１消火剤保管箇所Ｈ１は、第２物品保管棚２ｂの棚前後方向の全長に亘って配置され、同じく、第２消火剤保管箇所Ｈ２は、第２物品保管棚２ｂの棚前後方向の全長に亘って配置されている。第１消火剤保管箇所Ｈ１及び第２消火剤保管箇所Ｈ２のそれぞれが棚前後方向の全長に亘って配置されて、これらが棚前後方向で互いに連接しているので、消火剤保管箇所Ｈは、第２物品保管棚２ｂの前面から第３物品保管棚２ｃの前面までの棚前後方向で長い範囲に亘って配置されることになる。
【００５９】
消火剤保管箇所Ｈは、棚左右方向で物品保管棚２側に拡張する拡張部分Ｈｅｘを備えて構成されている。すなわち、第１消火剤保管箇所Ｈ１は、棚左右方向で第２物品保管棚２ｂ側に拡張する拡張部分Ｈｅｘを備えており、同様に、第２消火剤保管箇所Ｈ２は、棚左右方向で第３物品保管棚２ｃ側に拡張する拡張部分Ｈｅｘを備えている。第１消火剤保管箇所Ｈ１及び第２消火剤保管箇所Ｈ２のそれぞれが物品保管棚２側に拡張する拡張部分Ｈｅｘを備えており、これらが棚前後方向で互いに連接しているので、消火剤保管箇所Ｈは、棚左右方向での長さが長い領域となっている。しかも、それぞれの拡張部分Ｈｅｘもそれぞれの物品保管棚２の棚前後方向の全長に亘って配置されているので、消火剤保管箇所Ｈの拡張部分Ｈｅｘも、第２物品保管棚２ｂの前面から第３物品保管棚２ｃの前面までの棚前後方向で長い範囲に亘って配置されることになる。
【００６０】
要するに、第１消火剤保管箇所Ｈ１及び第２消火剤保管箇所Ｈ２の双方が物品保管棚２の棚前後方向の全長に亘って配置され、かつ、棚左右方向で物品保管棚２側に拡張する拡張部分Ｈｅｘを備えており、互いに棚前後方向で互いに連接しているので、平面視で大きな一つの矩形状の領域からなる消火剤保管箇所Ｈが形成されている。
【００６１】
第１消火剤保管箇所Ｈ１及び第２消火剤保管箇所Ｈ２はいずれも同様の構成であるので第１消火剤保管箇所Ｈ１を例に、これらの消火剤保管箇所Ｈの具体的構成について詳説する。
【００６２】
第１消火剤保管箇所Ｈ１には、上下方向に間隔を隔てて設置される複数（本実施形態では３層）の架台２６が備えられている。複数の架台２６のそれぞれは、棚左右方向における一方側の端部が、第２物品保管棚２ｂの棚左右方向の端部に位置している棚構成用端部支柱１２ｅに支持され、かつ、棚左右方向における他方側の端部が、奥側外壁６ｂが備える外壁構成用部材としてのラーメン材に支持されている。
【００６３】
すなわち、図４及び図５〜図８（特に図５）に示すように、第２物品保管棚２ｂの棚左右方向の端部に位置している棚構成用端部支柱１２ｅには、腕木１６が設けられている高さとは異なる高さに、棚前後方向に並ぶ棚構成用端部支柱１２ｅ同士を連結する水平方向に沿った架台取付用アーム２７が溶着されている。また、奥側外壁６ｃのラーメン材としての複数の外壁支柱２８を水平方向で連結する梁部材２９に架台取付用ブラケット２９が溶着されている。そして、棚構成用端部支柱１２ｅに取り付けられた架台取付用アーム２７に対して架台２６の棚左右方向における一方側の端部がボルト連結され、奥側外壁６ｃのラーメン材に取り付けられた架台取付用ブラケット２９に対して架台２６の棚左右方向における他方側の端部がボルト連結されている。
【００６４】
各架台２６は、架台取付用アーム２７及び架台取付用ブラケット２９に連結支持される棚左右方向に沿った棚前後方向に並んで配置される一対のベースアーム２６ｂと、これらのベースアーム２６ｂ同士をベースアーム２６ｂの端部付近において棚前後方向で連結する棚左右方向に並ぶ一対の支持部材取付用フレーム２６ｆと、複数の炭酸ガスボンベ２４を載置支持する複数形態（図６参照）の支持グレーチング２６ｇとを備えて構成されている。
【００６５】
支持グレーチング２６ｇは、長手方向視がコの字状で棚左右方向に沿う複数の棒状部材３１を棚前後方向で並べた状態で棚左右方向の複数箇所で棚前後方向に沿う補強フレーム３２にて連結して構成されており、支持部材取付用フレーム２６ｆにて棒状部材３１が溶接により固定されている。そして、炭酸ガスボンベ２４は、ボンベ群２４Ｇを為すように棒状部材３１の上にこの棒状部材３１の長手方向（棚左右方向）に複数本整列して配置される。したがって、支持グレーチング２６ｇの棒状部材３１はボンベ群２４Ｇの荷重を支持している。このように、ボンベ群２４Ｇの荷重を支持する棒状部材３１が、ボンベ群２４Ｇにおける複数本の炭酸ガスボンベ２４の並び方向に沿って消火剤保管箇所Ｈにおいてボンベ群２４Ｇの下方に配設されている。
【００６６】
架台２６をこのように構成することで、第１消火剤保管箇所Ｈ１が、第２物品保管棚２ｂの棚前後方向の全長に亘って配置されることになる。同様に、第２消火剤保管箇所Ｈ２が、第３物品保管棚２ｃの棚前後方向の全長に亘って配置されることになる。そして、第２物品保管棚２ｂに設けられた一対のベースアーム２６ｂのうち棚背面側に寄っているものと、第３物品保管棚２ｃに設けられた一対のベースアーム２６ｂのうち棚背面側に寄っているものとを支持部材取付用中間フレーム２６ｍにて接続することで、第１消火剤保管箇所Ｈ１及び第２消火剤保管箇所Ｈ２のそれぞれが棚前後方向の全長に亘って配置されて、これらが棚前後方向で互いに連接して、消火剤保管箇所Ｈは、第２物品保管棚２ｂの前面位置から第３物品保管棚２ｃの前面までの長い範囲に亘って配置されることになる。
【００６７】
図８に示すように、架台２６において、ボンベ群２４がその下端部の裏面に位置する支持グレーチング３０の棒状部材３１にて支持されている。１層の架台２６につき、１０本の棒状部材３１が配設されており、１層の架台２６当り７０本近い炭酸ガスボンベ２４を設置することができるようになっている。
【００６８】
このような状態で設置される複数の炭酸ガスボンベ２４に対する設置作業や点検等のメンテナンス作業を行えるように、支持グレーチング２６ｇのうちボンベ群２４が載置されない領域には図７に示すようなエキスパンドメタル３０が敷設されている。作業者は、梯子３３を用いて、支持グレーチング２６ｇ及びエキスパンドメタル３０に形成された各架台２６の作業者用開口Ｚをくぐることで、コンクリート床５から第１〜第３の各層の架台２６上に登って、作業対象の層におけるエキスパンドメタル３０上に起立できるようになっている。このように起立姿勢でメンテナンス作業を行うことが可能であることから作業性が良いものとなっている。
【００６９】
本実施形態の自動倉庫設備Ｓの床面積は1,000[ｍ2]以下となっており、この床面積のうち、消火剤保管箇所Ｈが占める床面積のうちの拡張部分Ｈｅｘの床面積を除いた床面積は、もともと、自動倉庫を設置すると必然的に発生するスタッカークレーン３の移動空間Ｋの突出部分Ｋｔに起因する空き領域の床面積であるから、複数の炭酸ガスボンベ２４を設置するための箇所を専用に設ける場合よりも、炭酸ガスボンベ２４の保管箇所を設けることによる床面積の増加が抑えられている。さらに、消火剤保管箇所Ｈに、多層の架台２６を備えることで、消火剤保管箇所Ｈの占める床面積を極力小さくして、物品保管棚２の占める床面積を極力大きくしている。これらの構成により、複数の炭酸ガスボンベ２３を設置することによる自動倉庫設備Ｓの収納効率の低下を極力抑制することに成功している。
【００７０】
〔別の実施形態〕以下、本発明の別実施形態について説明する。
【００７１】
（１）上記実施形態では、自動倉庫設備にて保管すべき消火剤の全てを消火剤保管箇所に保管しているが、消火剤保管箇所に加えて、別の専用の保管箇所を設けて、消火剤を複数箇所に分散保管してもよい。
【００７２】
（２）消火剤保管箇所が拡張部分を備えないものであってもよい。この場合、架台の層数が増えることが考えられる反面、物品保管棚の収納部の数をより多くできる。
【００７３】
（３）消火手段としては、消火剤として二酸化炭素ガスを散布するものではなく、たとえば、約３％合成界面活性剤を散布するものであってもよい。この場合、消火剤供給体は、合成界面活性剤タンク、貯水槽、混合器、発生器などを備えればよい。
【００７４】
（４）上記実施形態では、物品収納部が、複数の物品を棚前後方向に並ぶ状態で収納自在に構成されたものを例示したが、これに代えて、物品収納部が、単一の物品だけを収納自在に構成されたものであってもよい。
【符号の説明】
【００７５】
２    物品保管棚
３    スタッカークレーン
６ｂ  外壁
１２  棚構成用支柱
１６  物品載置部材
１７  物品収納部
１７ｅ  最外方に位置する物品収納部
２３  消火手段
２４  炭酸ガスボンベ（消火剤供給体）
２４Ｇ  ボンベ群（消火剤供給体）
２６  架台
２８、２９  外壁構成用部材
３１  棒状部材
Ｋ    移動空間
Ｋｔ  突出部分
Ｈ    消火剤保管箇所
Ｈｅｘ  拡張部分
【図１】
2011032016.tif 000003
【図２】
2011032016.tif 000004
【図３】
2011032016.tif 000005
【図４】
2011032016.tif 000006
【図５】
2011032016.tif 000007
【図６】
2011032016.tif 000008
【図７】
2011032016.tif 000009
【図８】
2011032016.tif 000010